(57)【特許請求の範囲】
【請求項１】
表示部品である液晶パネルと前記液晶パネルの下部に配置されて光源として機能するバックライトユニットを含む液晶表示装置において、前記バックライトユニットはランプと、前記ランプの一側に配置される導光板及び該導光板の上面に配置される一対の光学的フィルムで構成され、前記液晶パネルは、液晶層と、前記液晶層を両面から挟むように配置された上下部ガラス基板と、前記上下部ガラス基板の外側面上に各々配置された上下部偏光板で構成され、前記上部偏光板は分散体を含むアンチ−グレア（Ａｎｔｉ−Ｇｌａｒｅ）層を有し、
前記アンチ−グレア層は前記上部偏光板の内部に配置されることを特徴とする液晶表示装置。
【請求項２】
前記アンチ−グレア層は光学的特性のヘイズ（Ｈａｚｅ）値が１１以上であることを特徴とする請求項１に記載の液晶表示装置。
【請求項３】
前記アンチ−グレア層は平均粗度が０．２μｍ以上である分散体を含むことを特徴とする請求項１に記載の液晶表示装置。
【発明の詳細な説明】
【０００１】
【発明の属する技術分野】
本発明は液晶表示装置に係り、より詳細には、コントラスト比を向上させた液晶表示装置（以下、ＬＣＤと称する）に関するものである。
【０００２】
【従来の技術】
液晶表示装置は、軽薄短小で低電圧駆動が可能で低電力消費という長所を土台に急速に研究開発されており、その応用分野も多様でノートブックコンピュータ、携帯電話、カーナビゲーションシステム（ＣＮＳ：Ｃａｒ  Ｎａｖｉｇａｔｉｏｎ  Ｓｙｓｔｅｍ）、キャムコーダ等の各種電子機器に広く使用されている。
【０００３】
このような液晶表示装置は光の偏光性及び複屈折性を利用して画面を具現しており、光学的な構造としては、光源であるバックライトユニットと光スイッチング素子である液晶パネルに分けられる。
【０００４】
図１ないし図３は従来技術による液晶表示装置の光学的構造を説明するための図面であり、図１は液晶表示装置の概略的な光学的構造を、図２及び図３は、図１の液晶パネルとバックライトユニットを各々拡大して図示した図面である。
【０００５】
図１を参照すれば、液晶表示装置は光スイッチング素子として実質的な表示部品である液晶パネル２０と、液晶パネル２０が自ら光を出せない代わりに液晶パネル２０の下部に配置されて光源として機能するバックライトユニット１０からなる。
【０００６】
液晶パネル２０は、図２に示すように、上、下部ガラス基板１２、１１が液晶層１３を挟んで配置された構造を有し、液晶層１３は特定屈折率と必要によって特定な角度でツィストされるようにした配向され、各基板１１，１２の外側面には各々偏光子と検光子として機能する、上、下部偏光板１５、１４が付着される。
【０００７】
バックライトユニット１０は、図３に示すように、ランプ１と、光の均一性を得るためランプ１の一側に配置された導光板２と、導光板２上に配置されて光路を変えてその輝度を高める、左右上下プリズムシートを含む一対の光学的フィルム３と、光学的フィルム３上に配置されて液晶パネル２０に入射する光の均一度を高める拡散フィルム４を含む。
【０００８】
言い換えると、導光板２はランプ１から出てきた光を散乱し、この光をパネル全面に均一な輝度で伝える。光学的フィルム３は導光板２から出射された光の直進性を高めて、光を使用者の視野領域に集中する。光学的フィルム３は用途と特性によってその数を変えることができ、さらに輝度向上フィルムや偏光選択フィルムを含むことができる。拡散フィルム４は光を分散させて散乱する。
【０００９】
このような液晶表示装置によれば、バックライトユニット１０から出てきた光はすべての偏光成分を含む自然光であるが、偏光子である下部偏光板１４により、特定方向の偏光成分のみが選択されて液晶パネル２０の内部に入射され、液晶パネル２０の内部に入射された偏光は、印加された電圧により決まる特定レベルに屈折する。このように屈折した偏光は、検光子である上部偏光板１５により一部が遮断され、残りの偏光が液晶パネル２０の前面に出射され、これにより、液晶パネル１０は所望の階調を表示する。
【００１０】
しかし、前記従来の液晶表示装置は次のような問題点がある。
液晶パネルに付着された偏光板は水平振動光のみを制御する。したがって、前記偏光板は垂直入射光に対しては完全な偏光を作ることができるが、斜めに入射する光に対しては偏光性能が低下する。こうして、液晶パネルに入射する光が完全な偏光でない場合、出射される光に対する検光子の光遮断性能も低下する。そのため、ダーク（ｄａｒｋ）時の光漏れを生じる、という問題があった。また、使用者が液晶パネルを偏光板の偏光軸以外の斜め方向から画面を見ると、コントラスト比が急激に低下する、という問題があった。
【００１１】
図４は従来の液晶表示装置における、光分散による光漏れを説明するための図面である。図示したように、バックライトユニット１０に配置した拡散フィルム４は前記のように、液晶パネル２０への入射光の均一度を高めるためであるが、同時に入射光を分散させるため、相対的に光の直進性が減少し、不完全な偏光により光漏れが発生する。
【００１２】
前記のような問題を改善するために、光補償フィルムをさらに付着し、これを通じて、ダーク時の光洩れを一定水準以内に維持する技術が提案された。しかし、この技術は光補償フィルムが高価であり、光補償フィルムの付着工程が追加されなければならない短所があるため、その利用は困難である。
【００１３】
【先行技術文献】
【特許文献１】
特開平１０−１３０５３７
【００１４】
【発明が解決しようとする課題】
したがって本発明の目的は、前記の問題を解決し、斜め方向から見た時のコントラスト比の低下を防止した液晶表示装置を提供することにある。
【００１５】
【課題を解決するための手段】
上記の目的を達成するためになされた本発明に従う液晶表示装置は、表示部品である液晶パネルと前記液晶パネルの下部に配置されて光源として機能するバックライトユニットを含む液晶表示装置において、前記バックライトユニットはランプと、前記ランプの一側に配置される導光板及び該導光板の上面に配置される一対の光学的フィルムで構成され、前記液晶パネルは、液晶層と、前記液晶層を両面から挟むように配置された上下部ガラス基板と、前記上下部ガラス基板の外側面上に各々配置された上下部偏光板で構成され、前記上部偏光板は分散体を含むアンチ−グレア（Ａｎｔｉ−Ｇｌａｒｅ）層を有し、前記アンチ−グレア層は前記上部偏光板の内部に配置されることを特徴とする。
【００１６】
ここで好ましくは、前記アンチ−グレア層の分散体は光学的特性のヘイズ（Ｈａｚｅ）値が１１以上である。
【００１７】
さらに好ましくは、前記アンチ−グレア層は平均粗度が０．２μｍ以上である分散体を含む。
【００１８】
以上のような、前記の目的、本発明の他の特徴及び長所は、本発明の好適な実施例に対する、以下の図面を参照した説明から明確になるであろう。
【００１９】
【発明の実施の形態】
本発明に従う一実施例について、図５、６を参照して説明する。
図５は本発明の実施例による液晶表示装置を示す図面である。ここで、図１ないし図３におけるのと同一または相当部品は同一符号で示す。
【００２０】
本発明の液晶表示装置は実質的な表示部品である液晶パネル２０と、該液晶パネル２０の下部に配置されて光源として機能するバックライトユニット１０で構成される。
【００２１】
バックライトユニット１０は、ランプ１と、光の均一性を得るためランプ１の一側に配置された導光板２と、導光板２上に配置されて光路を変えてその輝度を高める、左右上下プリズムシートを含む一対の光学的フィルム３で構成される。従来の液晶表示装置と比べると、本発明のバックライトユニット１０は、光を分散する拡散フィルムを具備しない。
【００２２】
液晶パネル２０は下部ガラス基板１１と上部ガラス基板１２が液晶層１３を挟んで配置され、各基板１１，１２の外側面に偏光子と検光子として機能する下部及び上部偏光板１４、１５が各々付着される。ここで、上部偏光板１５は分散体を含む表面反射減少層、すなわち、アンチ−グレア層（Ａｎｔｉ−Ｇｌａｒｅ）を具備する。
【００２３】
アンチ−グレア層１６は出射される光を分散させるように機能するものであり、分散体を散布して形成する。この時、図６（ａ）及び図６（ｂ）に示すように、アンチ−グレア層１６は上部偏光板１５の外部表面に形成するか、あるいは上部偏光板１５の内部に形成する。また、アンチ−グレア層１６は必要によって、図６（ｃ）に示すように、上部偏光板１５の外部表面及び内部のすべてに形成することができる。
【００２４】
アンチ−グレア層１６は光の分散効果を強化するために、その光学的特性が６０゜グロス（ｇｌｏｓｓ）６０％以下及びヘイズ値が１１以上であり、平均粗度（ａｖｅｒａｇｅ  ｒｏｕｇｈｎｅｓｓ）が０．２μｍ以上の分散体を含む。
【００２５】
本発明による、前記実施例の液晶表示装置のさらなる利点を明らかにするため、ここで前記従来技術による液晶表示装置の有する問題点を詳しく説明する。
【００２６】
従来、バックライトユニットと液晶パネルとの間の接境地点に配置される拡散フィルムは、一般的に集められた光を分散する役割をするため、下方のプリズムシートらが光の直進性を高めて光効率を良くするのを打ち消す性質を有する。すなわち、拡散フィルムにより分散された光の直進性が減少し、正面での光効率が落ち、一方、液晶パネルに斜めに入射した光により、ダーク時の光漏れが誘発され、斜め方向から見た時のコントラスト比が急激に低下する。これらの問題があるにも拘らず、前記拡散フィルムをバックライトユニット側に具備する理由は、前記プリズムシート等により生じるモアレ（ｍｏａｒｅ）などの光学的むらを緩和するためである。
【００２７】
ところで、前記アンチ−グレア層は、バックライトでない外部光が表示表面で反射するのを緩和して、使用者に見やすくするのがその本来の機能である。すなわち、前記アンチ−グレア層は、従来外部光の表面反射を抑え散乱させるために具備されていた。
前記アンチ−グレア層は、その構造上バックライトによる内部光も散乱させる付加機能を有することに着目すると、バックライトユニットのプリズムシート等により生じる光学的むらを緩和させることができる。
【００２８】
したがって前記実施例では、バックライトユニットでの拡散フィルムを除去し、反面、液晶パネルの上部偏光板にアンチ−グレア層を具備するので、前記拡散フィルムによる光の分散を無くし、光の直進性を維持する。それで、光漏れの発生及び、斜め方向から見た時のコントラスト比の減少を抑制する。また、液晶パネル側にアンチ−グレア層を具備することによって、光学的むらが緩和されることはもちろん、光の分散性が増加して輝度が改善される。
【００２９】
結局、本発明の液晶表示装置の光学的構造は従来のそれより向上された輝度及びコントラスト比を有するようになる。
【００３０】
【発明の効果】
以上のように本発明に従えば、バックライトユニットでの拡散フィルムを除去し、液晶パネルの上部偏光板にアンチ−グレア層を形成することによって、光効率と輝度及び斜めに従えば、傾けた角度でもダーク（ｄａｒｋ）状態を維持できるので、視野角を改善できる。その上、本発明に従えば、バックライトユニットの拡散フィルムを除去することによって製造原価の節減を期待できる。
【００３１】
その他、本発明はその要旨を逸脱しない範囲で多様に変更して実施することができる。
【図面の簡単な説明】
【図１】従来の液晶表示装置の光学的構造を図示した図面である。
【図２】図１の液晶パネルを拡大して図示した図面である。
【図３】図１のバックライトユニットを拡大して図示した図面である。
【図４】従来の液晶表示装置の光分散による光漏れを説明するための図面である。
【図５】本発明の実施例による液晶表示装置の光学的構造を図示した図面である。
【図６】（ａ）ないし（ｃ）は本発明の実施例によるアンチ−グレア層を説明するための図面である。
【符号の説明】
１    ランプ
２    導光板
３    光学的フィルム
４    拡散フィルム
１０    バックライトユニット
１１    下部ガラス基板
１２    上部ガラス基板
１３    液晶層
１４    下部偏光板
１５    上部偏光板
１６    アンチ−グレア層
２０    液晶パネル
【図１】
0003809540.tif 000002
【図２】
0003809540.tif 000003
【図３】
0003809540.tif 000004
【図４】
0003809540.tif 000005
【図５】
0003809540.tif 000006
【図６】
0003809540.tif 000007